(57)【要約】【課題】工場出荷時から取り付けに至る過程で全体の長さを短くすることができ、運搬過程や設置過程での取り扱いの容易化を図ることができるとともに、接続された灯体が自重により下方に尾撓むといった問題を回避することが可能直管型ＬＥＤ照明装置を提供する。【解決手段】本発明は、複数のＬＥＤを光源として備えて規定の長さを基準として少なくとも二分割された直管状の灯体１１と、各直管状の灯体１１の少なくとも一端に設けられて光源を点灯するための電源供給用の端子部１３と、各直管状の灯体１１の他端同士を接続する接続体１４と、を備え、接続体１４は、照明装置本体１に固定される。【選択図】図１
2013196814.tif 000002
【特許請求の範囲】
【請求項１】
複数のＬＥＤを光源として備えて規定の長さを基準として少なくとも二分割された直管状の灯体と、該各直管状の灯体の少なくとも一端に設けられて前記光源を点灯するための電源供給用の端子部と、前記各直管状の灯体の他端同士を接続する接続体と、を備えた直管型ＬＥＤ照明装置において、
前記接続体は、前記直管型ＬＥＤ照明装置が取り付けられる照明装置本体に固定されることを特徴とする直管型ＬＥＤ照明装置。
【発明の詳細な説明】
【技術分野】
【０００１】
本発明は、光源にＬＥＤを用いると共に、従来の直管型の蛍光灯に替わる照明装置として適用可能な直管型ＬＥＤ照明装置に関する。
【背景技術】
【０００２】
従来から、円柱状のガラス管の内部放電により点灯する蛍光灯に替えて、消費電力や長寿命等の観点から、複数のＬＥＤを光源として配置した照明装置が利用されつつある（例えば、特許文献１参照）。
【先行技術文献】
【特許文献】
【０００３】
【特許文献１】特開２０１１−０４９１４３号公報
【発明の概要】
【発明が解決しようとする課題】
【０００４】
ところが、蛍光灯は、内部にガス（不活性ガス・水銀ガス）を封入しており、その密閉性を確保するためにガラス管等を用いていることから、特に長尺（例えば、１１０型：２３６７ｍｍ）なものにあっては、製造工場からの出荷から設置（取り付け）に至る運搬過程や設置過程において取り扱いが煩雑であるという問題が生じていた。
【０００５】
また、このような問題は、上述したＬＥＤを光源とし、既存の照明装置本体を利用して設置する場合においても、ガラス管等を用いなくても良いために衝撃等に対する取り扱いの煩雑化は軽減されるものの、長尺物であることに変わりが無く、依然として煩雑であるという問題が生じていた。
【０００６】
そこで、本発明は、運搬・設置過程での取り扱いの容易化に貢献することができる直管型ＬＥＤ照明装置を提供することを目的とする。
【課題を解決するための手段】
【０００７】
上記課題を解決するため、本発明の直管型ＬＥＤ照明装置は、複数のＬＥＤを光源として備えて規定の長さを基準として少なくとも二分割された直管状の灯体と、該各直管状の灯体の少なくとも一端に設けられて前記光源を点灯するための電源供給用の端子部と、前記各直管状の灯体の他端同士を接続する接続体と、を備えた直管型ＬＥＤ照明装置において、前記接続体は、前記直管型ＬＥＤ照明装置が取り付けられる照明装置本体に固定されることを特徴とする。
【発明の効果】
【０００８】
本発明の直管型ＬＥＤ照明装置によると、工場出荷時から取り付けに至る過程で全体の長さを短くすることができ、運搬過程や設置過程での取り扱いの容易化を図ることができるとともに、接続された灯体が自重により下方に尾撓むといった問題を回避することが可能である。
【図面の簡単な説明】
【０００９】
【図１】本発明の一実施形態に係る直管型ＬＥＤ照明装置を示し、（Ａ）は直管型ＬＥＤ照明装置を照明装置本体に設置した状態の斜視図、（Ｂ）は直管型ＬＥＤ照明装置の斜視図である。
【図２】本発明の一実施形態の直管型ＬＥＤ照明装置を示し、（Ａ）は接続部分の要部の斜視図、（Ｂ）は接続部分の分解斜視図である。
【図３】本発明の一実施形態に係る直管型ＬＥＤ照明装置を示し、（Ａ）は直管型ＬＥＤ照明装置に適用される端子部の一例の斜視図、（Ｂ）は直管型ＬＥＤ照明装置に適用される端子部の他例の斜視図である。
【図４】本発明の一実施形態に係る直管型ＬＥＤ照明装置に適用される被接続部の斜視図である。
【図５】本発明の一実施形態に係る直管型ＬＥＤ照明装置に適用される接続体の斜視図である。
【図６】本発明の一実施形態に係る直管型ＬＥＤ照明装置を照明装置本体に設置した要部の断面図である。
【発明を実施するための形態】
【００１０】
次に、本発明の一実施形態に係る直管型ＬＥＤ照明装置について、図面を参照して説明する。尚、以下に示す実施例は本発明の直管型ＬＥＤ照明装置における好適な具体例であり、技術的に好ましい種々の限定を付している場合もあるが、本発明の技術範囲は、特に本発明を限定する記載がない限り、これらの態様に限定されるものではない。また、以下に示す実施形態における構成要素は適宜、既存の構成要素等との置き換えが可能であり、かつ、他の既存の構成要素との組合せを含む様々なバリエーションが可能である。したがって、以下に示す実施形態の記載をもって、特許請求の範囲に記載された発明の内容を限定するものではない。
【００１１】
図１は本発明の一実施形態に係る直管型ＬＥＤ照明装置を示し、図１（Ａ）は直管型ＬＥＤ照明装置を照明装置本体に設置した状態の斜視図、図１（Ｂ）は直管型ＬＥＤ照明装置の斜視図、図２は本発明の一実施形態の直管型ＬＥＤ照明装置を示し、図２（Ａ）は接続部分の要部の斜視図、図２（Ｂ）は接続部分の分解斜視図、図３は本発明の一実施形態に係る直管型ＬＥＤ照明装置を示し、図３（Ａ）は直管型ＬＥＤ照明装置に適用される端子部の一例の斜視図、図３（Ｂ）は直管型ＬＥＤ照明装置に適用される端子部の他例の斜視図、図４は本発明の一実施形態に係る直管型ＬＥＤ照明装置に適用される被接続部の斜視図、図５は本発明の一実施形態に係る直管型ＬＥＤ照明装置に適用される接続体の斜視図、図６は直管型ＬＥＤ照明装置を照明装置本体に設置した要部の断面図である。
【００１２】
図１（Ａ）において、１は屋内天井等に設置された既存の（従来の蛍光灯設置用の）照明装置本体、２は照明装置本体の傘部（反射部）、３はソケット、１０はソケット３に保持されると共に電源供給を受けて点灯する直管型ＬＥＤ照明装置である。
【００１３】
なお、照明装置本体１は、上述した傘部２とソケット３とを備えた既存のものでもよいし、別途専用のものを用いても良い。また、図１において直管型ＬＥＤ照明装置１０は並列に二列配置したものを開示したが、一列又は三列以上であっても良い。
【００１４】
直管型ＬＥＤ照明装置１０は、図１（Ｂ）に示すように、規定の長さ（例えば、全長Ｌ＝２３６７ｍｍ）を基準として二分割された直管状の灯体１１と、この直管状の灯体１１の少なくとも一端に設けられて図示を略する複数のＬＥＤからなる光源（図示せず）を点灯するための電源供給用の端子部１２と、図２（Ａ），（Ｂ）に示すように、直管状の灯体１１の他端に設けられた被接続部１３を接続する接続体１４と、を備えている。
【００１５】
灯体１１は、無色透明又は有色（例えば、白色）透明な樹脂製の円筒体から構成されており、端子部１２と被接続部１３とに両端を支持されて光源を実装した回路基板１５を内部に備えている。尚、この光源の実装や点灯制御を行なう回路基板は公知であるため、その詳細な説明は省略する。
【００１６】
端子部１２は、例えば、図３（Ａ）に示すように、灯体１１の一端と係合する円筒状の口金部１２ａと、口金部１２ａの端面から突出してソケット３から電源供給される一対のピン状の接続端子１２ｂと、回路基板１５の一端を固定するための螺子１６と、を備えている。なお、端子部１２は、図３（Ｂ）に示すように、ピン状の接続端子１２ｂに変えて突起状（Ｒ１７ｄタイプ）の接続端子１２ｃとしても良い。この際、端子部１２は、基本的には既設のソケット３に係合保持されると共に電源供給が行なえる端子形状のものが用いられるが、ソケット３の交換により対応しても良い。
【００１７】
被接続部１３は、一端の端子部１２と同一構成であっても良いし、図４に拡大して示すように、端子部１２とは異なる構成でも良い。本実施の形態の被接続部１３は、灯体１１の他端と係合する円筒状の口金部１３ａと、口金部１３ａの端面から突出して接続体１４と係合する被係合部１３ｂと、回路基板１５の他端を固定するための螺子１７と、を備えている。この際、被係合部１３ｂは、例えば、接続端子１２ｂ，１２ｃの方向を規定するように、真円形（円柱状）又は正方形（角柱状）を除く立体形状とするのが好ましい。本実施の形態においては長方形の角柱状としている。なお、真円形や正方形であっても、例えば、複数個所に大きさを変えて又は変位して配置するなどによって適用可能である。
【００１８】
接続体１４は、例えば、樹脂の一体成形により構成されており、図５に示すように、各灯体１１の被接続部１３が対面状態で挿入される円筒状の胴部１４ａと、胴部１４ａから立ち上がる一対の脚部１４ｂと、脚部１４ｂの先端間に跨る平板状の取付部１４ｃと、脚部１４ｂの一部を胴部１４ａの内部に向けて延長するように形成されて被接続部１３の被係合部１３ｂと係合する係合部１４ｄと、を備えている。また、胴部１４ａの底面には係合部１４ｄの間に位置するように螺子貫通穴１４ｅが形成されている。さらに、取付部１４ｃは、平面視矩形を呈しており、螺子貫通穴１４ｅと同軸上の中心付近には螺子挿通孔１４ｆが形成されている。なお、被係合部１３ｂと係合部１４ｄとは、その雌雄（凹凸）を逆にしても良い。
【００１９】
上記の構成において、図６に示すように、まず、傘部２に予め形成された雌螺子孔２ａに取付螺子１８を螺合して接続体１４を傘部２に固定する。この際、取付螺子１８は、螺子貫通孔１４ｅから挿入し、螺子挿通孔１４ｆを通じて雌螺子孔２ａに螺合される。その際のドライバー等の工具（図示せず）の先端を螺子貫通孔１４ｅから挿入することによって、締め付け作業を行なうことができる。
【００２０】
そして、一方の直管型ＬＥＤ照明装置１０の一端（端子部１２）をソケット３に嵌め込んだ状態で他端（被接続部１３）を接続体１４に嵌め込み、同様にして、他方の直管型ＬＥＤ照明装置１０の一端（端子部１２）をソケット３に嵌め込んだ状態で他端（被接続部１３）を接続体１４に嵌め込むことで傘部２への設置を完了することができる。
【００２１】
このように、本発明の直管型ＬＥＤ照明装置にあっては、運搬・設置過程での取り扱いの容易化に貢献することができる。
【００２２】
ところで、上記実施の形態では、同一の直管型ＬＥＤ照明装置１０を二本用いて１１０型の長さに対応させた場合で示したが、例えば、既存の長さ、例えば、４０型（全長＝１１９８ｍｍ）を二本用い、不足する長さを接続体１４の長さで補うことも可能である。このような場合、専用の長さの直管型ＬＥＤ照明装置１０を用いることなく、４０型で兼用することができる。
【符号の説明】
【００２３】
１０…直管型ＬＥＤ照明装置
１１…灯体
１２…端子部
１２ａ…口金部
１２ｂ…接続端子
１３…被接続部
１３ａ…口金部
１３ｂ…接続端子
１４…接続体
１４ａ…胴部
１４ｂ…脚部
１４ｃ…取付部
１４ｄ…係合部
１４ｅ…螺子貫通孔
１４ｆ…螺子挿通孔
１５…回路基板
１６…螺子
１７…螺子
１８…取付螺子
【図１】
2013196814.tif 000003
【図２】
2013196814.tif 000004
【図３】
2013196814.tif 000005
【図４】
2013196814.tif 000006
【図５】
2013196814.tif 000007
【図６】
2013196814.tif 000008